(57)【要約】【課題】試運転に異常がない場合に、リモートコントローラによる制御を可能とする。【解決手段】試運転を実施した後に通常運転に移行し、リモコンによって制御される空調機、空調機の運転情報を収集する集中監視装置３とを備え、空調機と集中監視装置３とが互いに通信可能なネットワークで接続される空調監視システム１であって、空調機は、試運転を実施した場合の運転状態である試運転データを収集し、出力する試運転データ収集部５２と、リモコンから制御されることを許可する許可データを受信した場合に、リモコンからの制御を許可する状態に切り替える切替部５３とを備え、集中監視装置３は、空調機から取得した試運転データに異常がない場合に、試運転データを出力した空調機に対し、許可データを出力する許可データ出力部３０とを備える。【選択図】図２
2011141081.tif 000002
【特許請求の範囲】
【請求項１】
試運転を実施した後に通常運転に移行し、リモートコントローラによって制御される空気調和機と、該空気調和機の運転情報を収集する集中監視装置とを備え、前記空気調和機と前記集中監視装置とが互いに通信可能なネットワークで接続される空調監視システムであって、
前記空気調和機は、
試運転を実施した場合の運転状態である試運転データを収集し、出力する試運転データ収集手段と、
前記リモートコントローラから制御されることを許可する許可データを受信した場合に、前記リモートコントローラからの制御を許可する状態に切り替える切替手段とを備え、
前記集中監視装置は、
前記空気調和機から取得した前記試運転データに異常がない場合に、該試運転データを出力した前記空気調和機に対し、前記許可データを出力する許可データ出力手段と、を備える空調監視システム。
【請求項２】
前記空気調和機と前記集中監視装置との間に介在して、前記通信端末と前記空気調和機、及び前記通信端末と前記集中監視装置とが互いに通信可能にネットワークで接続される通知装置を備える通信端末を備え、
前記空気調和機は、
前記通信端末において、試運転の実施前における事前チェックが実施済みであるか否かを判定する事前チェック判定手段と、
前記事前チェック判定手段によって前記事前チェックが実施済みであると判定された場合に、試運転を開始させる試運転開始手段と
を備える請求項１に記載の空調監視システム。
【請求項３】
前記通信端末は、
前記空気調和機から取得した前記試運転データを前記集中監視装置に出力し、
前記集中監視装置は、
前記空気調和機の出荷に関する出荷情報を格納する出荷リスト格納部を備え、
前記許可データ出力手段は、前記出荷リスト格納部に格納された前記出荷情報と前記試運転データとに基づいて許可データを出力する請求項１または請求項２に記載の空調監視システム。
【請求項４】
前記集中監視装置の前記許可データ出力手段は、
取得した前記試運転データを前記空気調和機毎に格納する試運転データ記憶手段と、
前記試運転データ記憶手段に格納された前記試運転データに基づいて、前記試運転データに異常があるか否かを判定する判定基準を決定し、該判定基準に基づいて判定する判定手段と、
を備える請求項１から請求項３のいずれかに記載の空調監視システム。
【請求項５】
前記集中監視装置は、前記空気調和機から取得した前記試運転データに異常がある場合に、異常を復旧させるための情報を前記通信端末に通知する請求項２から請求項４のいずれかに記載の空調監視システム。
【請求項６】
前記空気調和機は、温度センサを備え、該温度センサによって計測される温度を前記試運転データとする請求項１から請求項５のいずれかに記載の空調監視システム。
【請求項７】
試運転を実施した後に通常運転に移行し、リモートコントローラによって制御され、運転情報を収集する集中監視装置と互いに通信可能にネットワークで接続される空気調和機であって、
試運転を実施した場合の運転状態である試運転データを収集し、出力する試運転データ収集手段と、
前記試運転データに異常がない場合に、前記集中監視装置から出力される前記リモートコントローラから制御されることを許可する許可データを受信した場合に、前記リモートコントローラからの制御を許可する状態に切り替える切替手段と
を備える空気調和機。
【請求項８】
試運転を実施した後に通常運転に移行し、リモートコントローラによって制御される空気調和機の運転情報を収集する前記空気調和機と互いに通信可能なネットワークで接続される集中監視装置であって、
前記空気調和機において収集され、出力された試運転を実施した場合の運転状態である試運転データに異常がない場合に、該試運転データを出力した前記空気調和機に対し、前記リモートコントローラから制御されることを許可する前記許可データを出力する許可データ出力手段を備え、
前記許可データは、前記空気調和機に対し、前記リモートコントローラからの制御を許可する状態に切り替えさせる集中監視装置。
【請求項９】
試運転を実施した後に通常運転に移行し、リモートコントローラによって制御される空気調和機と、該空気調和機の運転情報を収集する集中監視装置とを備え、前記空気調和機と前記集中監視装置とが互いに通信可能にネットワークで接続される空調監視システムの制御方法であって、
前記空気調和機は、
試運転を実施した場合の運転状態である試運転データを収集し、出力する試運転データ収集過程と、
前記リモートコントローラから制御されることを許可する許可データを受信した場合に、前記リモートコントローラからの制御を許可する状態に切り替える切替過程とを有し、
前記集中監視装置は、
前記空気調和機から取得した前記試運転データに異常がない場合に、該試運転データを出力した前記空気調和機に対し、前記許可データを出力する許可データ出力過程と、を有する空調監視システムの制御方法。
【発明の詳細な説明】
【技術分野】
【０００１】
本発明は、空調監視システム及びその制御方法、空気調和機、並びに集中監視装置に関するものである。
【背景技術】
【０００２】
１台の室外機に対して複数台の室内機が接続されるマルチ型空気調和機が知られている。マルチ型空気調和機は、共通の冷媒配管に接続される１台の室外機と複数台の室内機とからなり、ビル内や工場内にはこのマルチ型空気調和機が必要に応じて複数備え付けられる。従来、マルチ型空気調和機は、施工後に現地作業員によって試運転が実施され、試運転が終了した段階で、顧客の使用に供される。
特許文献１には、携帯電話端末によってエアコンの運転情報を取得し、携帯電話端末からエアコンの運転状況を監視する技術が開示されている。
【先行技術文献】
【特許文献】
【０００３】
【特許文献１】特開２００９−１４２３３号公報
【発明の概要】
【発明が解決しようとする課題】
【０００４】
しかしながら、施工や試運転の工程は現地作業員の経験に依存しており、例えば、試運転の現地作業員が頻繁に入れ替わる場合には、現地作業員に試運転の技術が根付かず、正しく試運転が行われないことがあった。また、試運転によって得られるデータの評価が行われず、導入前に問題点を発見することができなかったため、導入後に非常に短時間で不具合が発生する等の問題があった。
【０００５】
本発明は、このような事情に鑑みてなされたものであって、試運転に異常がない場合に、リモートコントローラによる制御を可能とする空調監視システム及びその制御方法、空気調和機、並びに集中監視装置を提供することを目的とする。
【課題を解決するための手段】
【０００６】
上記課題を解決するために、本発明は以下の手段を採用する。
本発明は、試運転を実施した後に通常運転に移行し、リモートコントローラによって制御される空気調和機と、該空気調和機の運転情報を収集する集中監視装置とを備え、前記空気調和機と前記集中監視装置とが互いに通信可能なネットワークで接続される空調監視システムであって、前記空気調和機は、試運転を実施した場合の運転状態である試運転データを収集し、出力する試運転データ収集手段と、前記リモートコントローラから制御されることを許可する許可データを受信した場合に、前記リモートコントローラからの制御を許可する状態に切り替える切替手段とを備え、前記集中監視装置は、前記空気調和機から取得した前記試運転データに異常がない場合に、該試運転データを出力した前記空気調和機に対し、前記許可データを出力する許可データ出力手段と、を備える空調監視システムを提供する。
【０００７】
このような構成によれば、空気調和機の試運転時に収集された運転状態である試運転データに異常がない場合には、この異常がない試運転データを出力した空気調和機に対し、リモートコントローラによる制御を許可する許可データが集中監視装置から出力され、許可データを取得した空気調和機は、リモートコントローラからの制御が許可状態に切り替えられる。また、試運転データとは、試運転時の圧縮機の吐出温度や吸入温度、熱交換器温度、ファン回転数、膨張弁開度、圧力等のデータである。
【０００８】
このように、試運転が正常に行われ、異常がない場合にのみリモートコントローラからの制御が可能となり、試運転に異常があればリモートコントローラからの制御が許可されないので、試運転に異常があるにも関わらずリモートコントローラからの制御を許可して顧客に引き渡してしまうという事態を低減することができる。
また、集中監視装置は、空気調和機ごとに試運転データの異常の有無を判定し、試運転データの異常がない空気調和機に対してのみ許可データを出力するので、他の空気調和機の許可データによって空気調和機のリモートコントローラが許可されることはない。
【０００９】
上記空調監視システムの前記空気調和機と前記集中監視装置との間に介在して、前記通信端末と前記空気調和機、及び前記通信端末と前記集中監視装置とが互いに通信可能にネットワークで接続される通知装置を備える通信端末を備え、前記空気調和機は、前記通信端末において、試運転の実施前における事前チェックが実施済みであるか否かを判定する事前チェック判定手段と、前記事前チェック判定手段によって前記事前チェックが実施済みであると判定された場合に、試運転を開始させる試運転開始手段とを備えることとしてもよい。
【００１０】
事前チェックとは、例えば、空気調和機の電源が投入されているか否か等の電気、空気調和機の室内機と室外機との間の信号線が通じているか否か等の計装、室外機と室内機とを接続する弁である操作弁が開けられているか否か等の配管、室外機が複数ある場合には、各室外機間に設けられた均油管のバルブを開けたか否か等のチェックである。
このように、事前チェックが実施済みであることが確認された後に、試運転に移行するので、人的ミスを低減し、施工のミスを低減することができる。また、通信端末とは、例えば、携帯電話、パソコン、ＰＤＡ（Personal Digital Assistant）、通信機能を有するゲーム機等であり、空気調和機の事前チェックに必要な情報が、通信端末を使用する使用者に提供される端末である。
【００１１】
上記空調監視システムの前記通信端末は、前記空気調和機から取得した前記試運転データを前記集中監視装置に出力し、前記集中監視装置は、前記空気調和機の出荷に関する出荷情報を格納する出荷リスト格納部を備え、前記許可データ出力手段は、前記出荷リスト格納部に格納された前記出荷情報と前記試運転データとに基づいて許可データを出力することとしてもよい。
【００１２】
例えば、拠点Ａの空気調和機に対する事前チェック結果によって得られた電力値の情報が、集中監視装置に入力されると、集中監視装置では拠点Ａの出荷リスト（出荷情報）と取得した電力値の情報とが比較される。拠点Ａの出荷リストに基づいて空気調和機（室外機及び室内機）の型式や台数の情報から得られる電力値と、入力された電力値の情報とに大きな差が生じている場合には、空気調和機が正しく設置されていないと推定され、許可データを出力しない。また、出荷リスト（出荷情報）と取得した室内機の接続台数の情報とを比較し、それに差が生じている場合にも空気調和機が正しく設置されていないと推定できる。このように、事前チェックの有無だけでなく事前チェック結果に基づいて、許可データを出力するか否かを判定するので、室内機の電源の投入忘れによる認識不良や、室外機の子機設定不良等によって生じるトラブルを防ぐ。
【００１３】
上記空調監視システムの前記集中監視装置の前記許可データ出力手段は、取得した前記試運転データを前記空気調和機毎に格納する試運転データ記憶手段と、前記試運転データ記憶手段に格納された前記試運転データに基づいて、前記試運転データに異常があるか否かを判定する判定基準を決定し、該判定基準に基づいて判定する判定手段と、を備えることとしてもよい。
このように、収集された試運転データを空気調和機毎に格納し、その試運転データに基づいて試運転データの異常の有無が決定されるので、空気調和機が設置される外部環境等に応じた判定が行われることとなり、集中監視装置の確度が向上する。
【００１４】
上記空調監視システムの前記集中監視装置は、前記空気調和機から取得した前記試運転データに異常がある場合に、異常を復旧させるための情報を前記通信端末に通知することとしてもよい。
例えば、圧縮機に飽和液が直接吸入されることで故障する場合があるが、その原因は、例えば、ＥＥＶ（ELECTRIC EXPANSION VALVE：電子膨張弁）漏れ、ＳＶ（SOLENOID VALVE：電磁弁）漏れ、ファン作動不良等の複数がある。このような場合に、異常の原因を特定するための情報（すなわち異常を復旧させるための情報）を通信端末に通知するので、通信端末の操作者は、通信端末に通知された異常を復旧させるための情報に基づいた運転を実施することによって、不良の原因を特定しやすくなる。
【００１５】
上記空調監視システムの前記空気調和機は、温度センサを備え、該温度センサによって計測される温度を前記試運転データとすることとしてもよい。
例えば、操作弁（液、ガス、油）の開け忘れがあった場合に、温度センサによって温度情報を収集することによって、異常が生じていることを検出することができる。このように、温度センサからの温度情報を試運転データとして収集することによって、異常検知の精度を向上させることができる。
【００１６】
本発明は、試運転を実施した後に通常運転に移行し、リモートコントローラによって制御され、運転情報を収集する集中監視装置と互いに通信可能にネットワークで接続される空気調和機であって、試運転を実施した場合の運転状態である試運転データを収集し、出力する試運転データ収集手段と、前記試運転データに異常がない場合に、前記集中監視装置から出力される前記リモートコントローラから制御されることを許可する許可データを受信した場合に、前記リモートコントローラからの制御を許可する状態に切り替える切替手段とを備える空気調和機を提供する。
【００１７】
本発明は、試運転を実施した後に通常運転に移行し、リモートコントローラによって制御される空気調和機の運転情報を収集する前記空気調和機と互いに通信可能なネットワークで接続される集中監視装置であって、前記空気調和機において収集され、出力された試運転を実施した場合の運転状態である試運転データに異常がない場合に、該試運転データを出力した前記空気調和機に対し、前記リモートコントローラから制御されることを許可する前記許可データを出力する許可データ出力手段を備え、前記許可データは、前記空気調和機に対し、前記リモートコントローラからの制御を許可する状態に切り替えさせる集中監視装置を提供する。
【００１８】
本発明は、試運転を実施した後に通常運転に移行し、リモートコントローラによって制御される空気調和機と、該空気調和機の運転情報を収集する集中監視装置とを備え、前記空気調和機と前記集中監視装置とが互いに通信可能にネットワークで接続される空調監視システムの制御方法であって、前記空気調和機は、試運転を実施した場合の運転状態である試運転データを収集し、出力する試運転データ収集過程と、前記リモートコントローラから制御されることを許可する許可データを受信した場合に、前記リモートコントローラからの制御を許可する状態に切り替える切替過程とを有し、前記集中監視装置は、前記空気調和機から取得した前記試運転データに異常がない場合に、該試運転データを出力した前記空気調和機に対し、前記許可データを出力する許可データ出力過程と、を有する空調監視システムの制御方法を提供する。
【発明の効果】
【００１９】
本発明によれば、試運転に異常がない場合に、リモートコントローラによる制御を可能とするという効果を奏する。
【図面の簡単な説明】
【００２０】
【図１】本発明の第１実施形態に係る空調監視システムの全体構成を示す図である。
【図２】本発明の第１実施形態に係る空調監視システムの概略構成を示すブロック図である。
【図３】本発明の第２実施形態に係る空調監視システムの概略構成を示すブロック図である。
【発明を実施するための形態】
【００２１】
以下に、本発明に係る空調監視システム及びその制御方法、空気調和機、集中監視装置の一実施形態について、図面を参照して説明する。
〔第１実施形態〕
以下、本発明の第１実施形態について、図１を用いて説明する。
図１は、本実施形態に係る空調監視システム１の全体構成を示している。図１に示されるように、空調監視システム１は、空気調和機（以下「空調機」という）２ａ，２ｂ、空調機２ａ，２ｂ、集中監視装置３、及び通信端末４を備えている。以下、特に明記しない場合には、空調機は空調機２として記述する。また、空調機２と集中監視装置３との間に介在して、空調機２ａ，２ｂと通信端末４、及び集中監視装置３と通信端末４は、それぞれネットワーク５を介して相互に通信可能に接続されている。
【００２２】
ネットワーク５は、空調機２ａ，２ｂ、通信端末４、及び集中監視装置３がそれぞれ処理可能な通信回線であり、一般電話回線や専用回線等を利用する有線通信であってもよいし、移動体通信システム等を利用する無線通信であってもよい。或いは、イーサネットや無線ＬＡＮ等のＬＡＮを介して接続される通信であってもよいこととする。
本実施形態においては、空調機を２つ備えることとして説明するが、台数は特に限定されず、また、台数の上限は特に設けられない。
【００２３】
各空調機２ａ，２ｂはそれぞれ室外機２１ａ，２１ｂ、室外機２１ａ，２１ｂにそれぞれ対応する複数の室内機２２、及び室内機２２を操作するリモートコントローラ（以下「リモコン」という）２３を備えている。以下特に明記しない場合には、空調機は空調機２、室外機は室外機２１として記述する。
空調機２は、試運転を実施した後に通常運転に移行し、客先（操作者）がリモコン２３を使用することによって制御されるものとする。また、空調機２は、予めリモコン２３による制御が拒否される状態となっている。
【００２４】
図２は、本実施形態に係る空調監視システム１の概略構成を示すブロック図である。
図２に示されるように、室外機２１は、事前チェック判定部（事前チェック判定手段）５０、試運転開始部（試運転開始手段）５１、試運転データ収集部（試運転データ収集手段）５２、切替部（切替手段）５３を備えている。
【００２５】
事前チェック判定部５０は、通信端末４（詳細は後述する）において試運転の実施前における事前チェックが実施済みであるか否かを判定する。具体的には、事前チェック判定部５０は、通信端末４の操作者によって事前チェックが実施された場合に、通信端末４を介して操作者から入力される事前チェック結果（例えば、事前チェックが実施済みである旨を通知するフラグを含む情報等）を取得したか否かに基づいて、事前チェックの実施状況を判定する。事前チェック判定部５０は、事前チェックが実施済みであると判定すると、実施済みである旨を試運転開始部５１に出力する。
【００２６】
また、事前チェックとは、試運転を正しく行うための空調機２の状態の確認作業であり、通信端末４の操作者によって実施される。事前チェックでは、例えば、空調機２の電源が投入されているか否か等の電気、空調機２の室内機２２と室外機２１との間の信号線が通じているか否か等の計装、室外機２１と室内機２２とを接続する弁である操作弁が開けられているか否か等の配管、室外機２１が複数ある場合に各室外機２１間に設けられた均油管のバルブを開状態にしたか否か等の情報が調べられる。
【００２７】
試運転開始部５１は、事前チェック判定部５０によって事前チェックが実施済みと判定された場合に、空調機２の試運転を開始させる。このように、試運転の開始前に、事前チェックが実施済みであることが確認された後に試運転を実施するので、人的な手順ミス等により試運転に不具合が生じる事態を低減することができる。
試運転データ収集部５２は、試運転を実施した場合の運転状態である試運転データを収集し、出力する。例えば、試運転データ収集部５２は、圧縮機の吐出温度や吸入温度、熱交換器温度、ファン回転数、膨張弁の開度、圧力等を試運転データとして収集し、通信端末４に出力する。
【００２８】
また、空調機２に予め備えられたセンサ情報だけでなく、別途温度センサ２４を備え、この温度センサ２４によって計測される温度を、試運転データに含むこととしてもよい。例えば、空調機２の設置現場において、（例えば、液、ガス、油等の）操作弁の開け忘れのミスが発生することがあるが、操作弁の開け忘れは機器に予め備えられたセンサでは判断するのが困難である。このような場合に、操作弁の開閉に応じた温度変化を検出できる位置に温度センサ２４を設け、温度センサ２４から取得される温度情報を試運転データに含むことで、操作弁が開状態の場合に計測されると推定される温度と、現在の温度センサの計測温度とを比較し、試運転データ（温度情報）が正常か否かを判定することができる。このように、温度センサ２４を用いることにより、試運転データの異常を検出する精度を向上させることができる。
【００２９】
切替部５３は、リモコン２３から制御されることを許可する「許可データ」を受信した場合に、リモコン２３からの制御を許可する状態に切り替える。また、上述したように、本実施形態においては、空調機２は、予めリモコン２３による制御が拒否される状態となっており、許可データを受信した場合に拒否状態から許可状態に切り替えるが、切替部５３の切り替えはこれに限定されない。例えば、リモコン２３からの制御が許可状態である場合に、拒否させる指令を受信した場合には、許可状態から拒否状態に切り替える。
【００３０】
集中監視装置３は、空調機２から取得した試運転データに異常がない場合に、試運転データを出力した空調機２に対し、「許可データ」を出力する許可データ出力部（許可データ出力手段）３０を備える。具体的には、許可データ出力部３０は、試運転データ記憶部（試運転データ記憶手段）３０１、及び判定部（判定手段）３０２を備えている。
試運転データ記憶部３０１は、各空調機２に、正常な試運転が行われる場合の基準試運転データを格納している。また、試運転データ記憶部３０１は、試運転データとともに取得した機器情報（例えば、機器の製造番号等）と試運転データとを対応付けることによって、空調機２毎の試運転データを格納する。
【００３１】
判定部３０２は、基準試運転データと取得した試運転データとを比較することによって、試運転データに異常があるか否か（換言すると、試運転の状態に異常があるか否か）を判定し、判定の結果、試運転データに異常がない場合には、「許可データ」を通信端末４に送信する。また、判定の結果、試運転データに異常がある場合には、「異常通知データ」を通信端末４に送信する。また、異常通知データは、異常を復旧させるための情報であり、例えば、異常の箇所、異常の原因を特定するための運転方法等である。
【００３２】
例えば、試運転データに基づいて、集中管理装置３において圧縮機に飽和液が直接吸入される状態が検出された場合を例に挙げて説明する。この状態は、例えば、ＥＥＶ漏れ、ＳＶ漏れ、ファン作動不良等の複数の原因が考えられ、試運転からでは原因を突き止めることが困難である。このような場合に、異常の原因を特定するための運転方法を通信端末４に通知する。これにより、通信端末４の操作者は、通信端末４に通知される運転方法の情報に基づいて空調機２を運転させることにより、不良の原因を特定しやすくなる。
【００３３】
通信端末４は、空調機２及び集中監視装置３とそれぞれネットワーク５を介して接続されている。通信端末４は、空調機２の試運転実施前の事前チェックを操作者に行わせ、試運転を実施させるとともに、空調機２の室外機２１から取得される試運転データと機器情報とを受信し、集中監視装置３に送信する。また、集中監視装置３から受信した許可データ、或いは、異常通知データ等を空調機２に送信する。通信端末４は、例えば、携帯電話、パソコン、ＰＤＡ（Personal Digital Assistant）、通信機能を有するゲーム機等である。
具体的には、図２に示されるように、通信端末４は、格納部４０及び通知部４１を備えている。
【００３４】
例えば、通信端末４は、集中監視装置３から空調機２ａに対するリモコン２３の許可データを取得した場合には、空調機２ａの試運転データに異常がない旨を表示する通知部４１に通知するとともに、通信部（図示略）を介して許可データを空調機２ａに出力する。また、通信端末４は、集中監視装置３から空調機２ｂに対する異常通知データを取得した場合に、空調機２ｂの試運転データに異常がある旨を通知部４１に通知するとともに、異常通知データに含まれる異常の復旧に関する情報（異常の箇所、及び異常の原因を特定するための運転方法等）を通知する。このように、通信端末４の通知部４１には、各空調機２の試運転データの判定結果がそれぞれ表示される。
【００３５】
格納部４０は、空調機２の試運転実施前に試運転を正確に実施するための操作手順となる事前チェックリストを格納している。具体的には、通信端末４において、試運転開始前に、操作者によって試運転開始前の操作（例えば、試運転用の専用切替スイッチを設けている場合に、専用切替スイッチが押される等の操作）がなされると、格納部４０から事前チェックリストが読み出される。
【００３６】
また、格納部４０から読み出された事前チェックリストの情報は、通知部４１に通知され、通信端末４の操作者に試運転前の事前チェックに必要な情報として提供される。また、操作者が、事前チェックリストの情報を確認した後、事前チェック実施済みであることを示す情報として「事前チェック結果」を入力すると、通信端末４の通信部を介して事前チェック結果が、事前チェックを行った空調機２に送信される。
【００３７】
次に、上記構成を備える空調監視システム１の作用について図２を用いて説明する。
空調機２ａ，２ｂはそれぞれ同一の機能を備えているが、本実施形態においては、空調機２ａが通信端末４から着目されていることとして、空調機２ａの動作を例に挙げて説明する。
【００３８】
通信端末４と室外機２ａ，２ｂとがネットワーク５（例えば、携帯電話回線）を介して接続される。通信端末４の操作者が、通知部４１に通知される操作手順に従って事前チェックリストの内容を確認し、事前チェック結果を通信端末４に入力すると、通信端末４に入力された事前チェック結果が、空調機２ａに送信される。事前チェック判定部５０において、事前チェック結果が取得されたか否かに応じて、試運転実施前の事前チェックが実施済みか否かが判定され、判定の結果、実施済みである場合には、試運転開始部５１にその旨が通知される。また、実施済みでない場合には実施されるまで上記判定を繰り返す。
【００３９】
試運転開始部５１に事前チェックが実施済みである旨の情報が取得されると、空調機２ａの試運転が開始され、空調機２ａから取得された試運転データが収集されるとともに、試運転データと機器情報とが通信端末４に送信される。試運転データ及び機器情報は、通信端末４に受信されるとネットワーク５を介して集中監視装置３に送信される。
続いて、集中監視装置３の試運転データ記憶部３０１から、取得された試運転データを送信した空調機２ａに対応する基準試運転データが読み出され、判定部３０２に出力される。また、取得された試運転データは、空調機２ａの機器情報とともに試運転データ記憶部３０１に格納される。
【００４０】
判定部３０２において、試運転データが異常か否かが判定され、異常でないと判定された場合には、通信端末４に空調機２ａに対する許可データが送信される。許可データが通信端末４に受信されると、通信端末４の通知部４１において試運転に異常がない旨が通知されるとともに、空調機２ａに対して、許可データが送信される。また、判定の結果、異常であると判定された場合には、通信端末４に空調機２ａに対する異常通知データが送信される。この場合、通信端末４の通知部４１において、空調機２ａの試運転に異常がある旨を通知するとともに、異常の復旧に関する情報が通知される。操作者は、通知部４１に通知された異常通知データを確認することによって、通知された異常の原因の追究を行うことができる。
【００４１】
また、許可データが空調機２ａの切替部５３に受信されると、リモコン２３使用の認証が許可されたものとされ、切替部５３の状態は拒否状態から許可状態に切り替えられ、空調機２ａの室外機２１にリモコン２３からの制御を許可する設定がなされる。空調機２ａが許可データを取得すると、本処理を終了する。空調機２ａに許可データが受信されない場合には、受信されるまで（認証が得られるまで）上記過程を繰り返す。
【００４２】
以上説明してきたように、本実施形態に係る空調監視システム１及びその制御方法、空調機２、並びに集中監視装置３によれば、試運転の開始前に、通信端末４から試運転開始前の事前チェックが行われることによって、試運転を正確に実施できるようになる。また、試運転を実施した場合に収集される試運転データと正常な試運転を実施した場合に収集されると推定される試運転データとが比較されることによって、試運転が正常か否かが判定され、正常な試運転である場合に限り、その正常な試運転データを送信した空調機２に対し、リモコン２３による制御を許可する。
このように、試運転時に収集した試運転データを使用して、空調機２にリモコン２３からの制御を可能とするか否かの認証が行われ、試運転に異常がない場合にのみ認証が許可され、リモコン操作が行える。これにより、異常が含まれるにも関わらず顧客に引き渡されることによる導入後のトラブル発生を防止することができる。
【００４３】
〔変形例〕
なお、本実施形態においては、試運転データ記憶部３０１に予め格納された基準試運転データに基づいて、試運転データに異常があるか否かを判定することとしていたが、判定方法はこれに限定されない。例えば、機器情報とともに試運転データ記憶部３０１に格納された試運転データに基づいて判定基準を決定し、この判定基準と取得した試運転データとに基づいて、試運転データに異常があるか否かを判定することとしてもよい。このように、試運転データ格納部３０１に蓄積された空調機２毎の試運転データを用いて判定基準を決定することにより、空調機２が設置される環境（例えば、国毎、気象毎）に応じた判定基準が決定される。また、これにより、判定の基準となる閾値の精度を向上させることができる。
【００４４】
本実施形態における空気調和機はマルチ型空気調和装置であることとして説明しているが、これに限定されない。例えば、１つの室外機に対して１つの室内機を備える空気調和機であってもよいこととする。
【００４５】
〔第２実施形態〕
次に、本発明の第２実施形態について、図３を用いて説明する。
本実施形態の空調監視システム１´が第１実施形態と異なる点は、各空調機２に関する出荷情報を格納している出荷リスト格納部（出荷リスト格納手段）３１を設けている点である。以下、本実施形態の空調監視システム１´について、第１実施形態と共通する点については説明を省略し、異なる点について主に説明する。
【００４６】
出荷リスト格納部３１は、各拠点に出荷される空調機２の出荷に関する情報（以下、「出荷情報」という）を空調機２毎の情報として格納する。具体的には、出荷情報は、空調機２の出荷先を区別することが可能な情報である。例えば、出荷情報は、出荷先（住所、電話番号等の出荷先識別情報）、出荷日時、納入日時、空調機（室外機及び室内機）の台数情報、型式や型番の情報等がそれぞれ対応付けられている。
許可データ出力部３０は、出荷リスト格納部３１に格納された出荷情報と取得した試運転データとに基づいて許可データを出力するか否かを判定する。
【００４７】
例えば、出荷リスト格納部３１は、拠点Ａの空調機２ａに出荷（納入）される空調機が型番Ｘであることを出荷情報として格納している場合に、集中監視装置３が空調機２ａから取得する機器情報に含まれる型番が型番Ｙであれば、空調機２ａの出荷情報と空調機２ａから取得した機器情報とが異なるため、判定部３０２は異常があると判定し、判定部３０２から通信端末４に空調機２ａに関する異常通知データが送信される。
【００４８】
また、例えば、出荷リスト格納部３１において、拠点Ｂの空調機２ｂは、１台の室外機と８台の室内機を有するという出荷情報が格納されている場合に、空調機２ｂから取得した試運転データは１台の室外機と６台の室内機との分の情報（例えば、消費電力値等）である場合には、空調機２ｂの出荷情報と空調機２ｂから取得した試運転データとに相違があることとなる。このような場合には、判定部３０２において、拠点Ｂの空調機２ｂには異常があると判定され、判定部３０２から通信端末４に空調機２ｂに関する異常通知データが送信される。
【００４９】
このように、試運転データと出荷情報、或いは、機器情報と出荷情報とがそれぞれ比較されることによって、試運転に異常があるか否かが判定される。これにより、室内機の電源の入れ忘れによる認識不良や、室外機の子機設定不良等を検出することができ、空調機の導入後のトラブルを防止することができる。
【符号の説明】
【００５０】
１、１´  空調監視システム
２  空調機
３  集中監視装置
４  通信端末
５  ネットワーク
２３  リモートコントローラ
３０  許可データ出力部
３１  出荷リスト格納部
４１  通知部
４２  格納部
５０  事前チェック判定部
５１  試運転開始部
５２  試運転データ収集部
５３  切替部
３０１  試運転データ記憶部
３０２  判定部
【図１】
2011141081.tif 000003
【図２】
2011141081.tif 000004
【図３】
2011141081.tif 000005